(57)【要約】【課題】  キャスター(13)を具備する台座フレーム(10)、それに立設させた一対の支持フレーム(11)、ハンドルバー(12)から本体フレーム(1)が構成され、ハンドルバー(12)の前方域に、乗物玩具部(2)が設けられ、その後方にかご載置台(31)が設けられており、不使用時には複数台を前後方向にネスティングさせた状態で嵩低く収納可能なショッピングカートを提供すること。  【解決手段】  乗物玩具部(2)は、子供用座席部(20)と、その下前方の台座フレーム(10)上に設けられる足載せ板(27)と、その前方を包囲する前面パネル部(4)からなり、前面パネル部(4)は、下端部を回動支点として前後方向へ回動可能に台座フレーム(10)の前端に取り付けられ、ネスティング時には、後方のショッピングカートの台座フレーム(10)の前端が、前方のショッピングカートの足載せ板(27)の後端に近接するように、本体フレーム(1)は相互に差し込み可能に構成されていること。【選択図】  図１
2005059674.tif 000002
【特許請求の範囲】
【請求項１】
キャスターが取付けられた台座フレームと、前記台座フレームに立設されている一対の支持フレームと、前記支持フレームの上端に連設されているハンドルバーとから本体フレームが構成されており、前記ハンドルバーの前方域に、子供用座席部を具備する乗物玩具部が設けられていると共に、前記乗物玩具部の後方に買物かごを載置させるためのかご載置台が設けられており、不使用時には複数台を前後方向にネスティングさせた状態で収納可能なショッピングカートにおいて、
前記乗物玩具部は、前記子供用座席部と、前記子供用座席部の下前方の前記台座フレーム上に設けられる足載せ板と、前記子供用座席部の前方を包囲する前面パネル部とからなり、
前記前面パネル部は、その下端部を回動支点として前後方向へ回動可能となるように前記台座フレームの前端に取り付けられており、
ネスティング時には、後方のショッピングカートの前記台座フレームの前端が、前方のショッピングカートの前記足載せ板の後端に近接するように、前記本体フレームは相互に差し込み可能に構成されていることを特徴とするショッピングカート。
【請求項２】
請求項１に記載のショッピングカートにおいて、前記前面パネル部を前方へ回動させる方向へ付勢する付勢手段と、前記付勢手段によって付勢された前記前面パネル部を前記足載せ板に対して一定の角度を保つように保持する保持手段とが設けられているショッピングカート。
【請求項３】
請求項１又は２に記載のショッピングカートにおいて、前記前面パネル部は、下端部が前記台座フレームの前端中央に軸支される回動軸と、前記回動軸の下端近傍部を除くその上方域に装着される被覆板とからなり、
前記かご載置台は、前記足載せ板の後方で且つ前記足載せ板の上面よりも高い位置に設けられており、前記かご載置台の中央には、前記回動軸の前記下端近傍部が挿通可能な幅の間隙部が形成されているショッピングカート。
【請求項４】
請求項１から３のいずれかに記載のショッピングカートにおいて、前記子供用座席部は、前記一対の支持フレーム間に介在された背もたれ部と、可撓性材料からなる長さ調節可能な安全ベルトとを具備する構成とし、前記前面パネル部の上端には、子供の手遊び用のハンドル等が備えられているショッピングカート。
【発明の詳細な説明】
【技術分野】
【０００１】
本発明は、不使用時に相互にネスティングさせて収納できるショッピングカート、特に、子供用座席部を具備する乗物玩具部が設けられた構成のショッピングカートに関する。
【背景技術】
【０００２】
スーパーマーケット等に常備されているショッピングカートは、一般に、不使用時に嵩低く収納できるように、前後に重ねて収納できる、所謂、ネスティング可能な構造となっている。
【０００３】
又、近年、図６に示すような、幼児を載せるための乗物玩具部(2)を具備させたショッピングカートが増えてきている。乗物玩具部(2)に幼児を乗せておくことにより、買い物中に幼児が走り回ったり、飽きてぐずったりすることがないので、ゆっくりと買い物することができる。
【０００４】
このような乗物玩具部(2)を具備させたショッピングカートは、前後左右の下方に４つのキャスター(13)が取付けられた台座フレーム(10)と、前記台座フレーム(10)の後部の左右両端に立設される一対の支持フレーム(11)と、前記支持フレーム(1)の上端部相互を連結するハンドルバー(12)とからなる本体フレーム(1)の前部に、子供用座席部(20)を備えた乗物玩具部(2)が設けられていると共に、前記支持フレーム(1)相互間の上段及び中段位置にそれぞれ買物かご(3)を載置するためのかご載置台(30a)(30b)が設けられている。
【０００５】
前記中段位置にあるかご載置台(30b)は、ネスティング時に邪魔にならないように、同図の矢印に示すように、その基端部を回動支点として上方へ回動させることができる。
前記乗物玩具部(2)は、前記台座フレーム(10)に固定支持されている子供用座席部(20)と、この子供用座席部(20)を包囲するように前記本体フレーム(1)に取付けられた床部（図示せず）と、前板部(22)と、側板部(21)とからなり、前記前板部(22)及び側板部(21)には大きく開放する窓部(25)がそれぞれ形成されている。又、前記前板部(22)の上端には、子供の手遊び用のハンドル(24)や各種操作ボタン等が設けられており、前記側板部(21)にはロック機構の付いた開閉自在の扉部(23)が設けられている。
【０００６】
前記乗物玩具部(2)の乗物型周壁部は全体に合成樹脂材料によるブロー成形品であり、分解又は折畳み不可である。
この従来の乗物玩具部(2)つきのショッピングカートは、不使用時には、図７に示すように、後方のショッピングカートの乗物玩具部(2)が、前方のショッピングカートの本体フレーム(1)の後部に差し込まれる態様で収納される構成となっており、このとき、前記中段に位置するかご載置台(30b)は、後方から挿入されるショッピングカートの乗物玩具部(2)の前板部(22)で押されて上方へ回動させられ、子供用座席部(20)の背もたれ部分にもたれ掛かった略垂直姿勢となる。このように、複数のショッピングカートは、後方の乗物玩具部(2)の前板部(22)が、前方のショッピングカートの前記かご載置台(30b)を上方へ回動させながら、乗物玩具部(2)の子供用座席部(20)の背もたれ部分の後面に近接する態様で前後方向に順にネスティング状態で収納されることとなる。
【特許文献１】特開２００２−３６２３７３号公報
【発明の開示】
【発明が解決しようとする課題】
【０００７】
しかしながら、上記ショッピングカートでは、乗物玩具部(2)の部分は、分解することも折り畳むこともできないため、乗物玩具部(2)の前後方向の長さは不変である。よって、複数のショッピングカートをネスティングさせた状態において、前後のショッピングカート間の間隔は、前記乗物玩具部(2)の前後方向の長さよりも小さくすることはできず、乗物玩具部(2)の前後方向の長さ分だけ嵩だかとなるといった不都合がある。これにより、乗物玩具部(2)つきのショッピングカートを収納するためには広い収納スペースが必要となり、多くのカートを売り場に用意することができないといった問題がある。
【０００８】
本発明は、上記事情を鑑みてなされたものであり、『キャスターが取付けられた台座フレームと、前記台座フレームに立設されている一対の支持フレームと、前記支持フレームの上端に連設されているハンドルバーとから本体フレームが構成されており、前記ハンドルバーの前方域に、子供用座席部を具備する乗物玩具部が設けられていると共に、前記乗物玩具部の後方に買物かごを載置させるためのかご載置台が設けられており、不使用時には複数台を前後方向にネスティングさせた状態で収納可能なショッピングカート』において、不使用時に嵩低くネスティングできるようにすることを課題とする。
【課題を解決するための手段】
【０００９】
（１）請求項１に係る発明の上記課題を解決するための本発明の技術的手段は、前記乗物玩具部は、前記子供用座席部と、前記子供用座席部の下前方の前記台座フレーム上に設けられる足載せ板と、前記子供用座席部の前方を包囲する前面パネル部とからなり、
前記前面パネル部は、その下端部を回動支点として後方へ回動可能となるように前記台座フレームの前端に取り付けられており、
ネスティング時には、後方のショッピングカートの前記台座フレームの前端が、前方のショッピングカートの前記足載せ板の後端に近接するように、前記本体フレームは相互に差し込み可能に構成されていることである。
【００１０】
上記技術的手段は次のように作用する。
これによれば、本発明に係るショッピングカートの乗物玩具部は、子供用座席部と足載せ板と前面パネル部のみから構成されており、前記前面パネル部の前面から前記子供用座席部の後面までの長さが乗物玩具部の前後方向の長さに相当する。ネスティングの際、後方に位置する一つのショッピングカートの台座フレームの前端が、前方に位置する他のショッピングカートの足載せ板の後端に近接する最終差し込み位置まで本体フレームは相互に前後方向に重ねることができるように設定されているが、足載せ板は子供用座席部よりも前方に位置するように構成されているから、後方のショッピングカートを前方のショッピングカートに上記最終差し込み位置に達するまで強制的に差し込むと、後方のショッピングカートの台座フレームの前端に起立させていた前面パネル部の下端部は、前記前方のショッピングカートの子供用座席部の下方へ入り込むことができるが、それより上方部分は、前記前方のショッピングカートの子供用座席部の後面に当接してしまい、これに押されて前記下端部を回動支点として子供用座席部側へ傾動させられることとなる。このように、ネスティング状態におけるショッピングカートの乗物玩具部は、前記前面パネル部が子供用座席部側へ倒れた状態に折り畳まれることとなり、乗物玩具部は不使用時において、全体の嵩が低くなる。
（２）請求項２に係る発明のショッピングカートは、上記請求項１において、前記前面パネル部を前方へ回動させる方向へ付勢する付勢手段と、前記付勢手段によって付勢された前記前面パネル部を前記足載せ板に対して一定の角度を保つように保持する保持手段とが設けられているもので、ネスティング状態にあるショッピングカートの前面パネル部は、付勢手段の付勢力に抗して後方へ回動させられ、使用時に後方のショッピングカートを後方へ引き出すと、前記前面パネル部は、前記付勢手段の付勢力によって、前方へ回動する方向に弾性復帰させられる。このとき、保持手段の保持力が機能することにより、前記前面パネル部は前記足載せ板に対して一定の角度を保つ所定姿勢に保持されることとなる。
【００１１】
（３）請求項３に係る発明のショッピングカートは、上記各請求項において、前記前面パネル部は、下端部が前記台座フレームの前端中央に軸支される回動軸と、前記回動軸の下端近傍部を除いたその上方域に装着される被覆板とからなり、前記かご載置台は、前記足載せ板の後方で且つ前記足載せ板の上面よりも高い位置に設けられており、前記かご載置台の中央には、前記回動軸の前記下端近傍部が挿通可能な幅の間隙部が形成されているもので、ネスティングさせると、後方のショッピングカートの足載せ板が前方のショッピングカートのかご載置台の下方に滑り込む態様で重なり合うこととなる。このとき、後方のショッピングカートの前面パネル部の下端に露出させている回動軸が、前方のショッピングカートのかご載置台の間隙部内に挿通されていくこととなり、ネスティングの妨げにならない。
（４）請求項４に係る発明のショッピングカートは、上記各請求項において、前記子供用座席部は、前記一対の支持フレーム間に介在された背もたれ部と、可撓性材料からなる長さ調節可能な安全ベルトとを具備する構成とし、前記前面パネル部の上端には、子供の手遊び用のハンドル等が備えられているのものであり、子供用座席部に子供を座らせた後、安全ベルトを装着させる。前面パネル部の上端は、子供用座席部に座らされた子供がちょうど手の届く位置にあり、その部分にハンドルや各種ボタン等を設けておくことにより、子供がハンドルやボタン等に触って玩具感覚で遊ぶことができる。
【発明の効果】
【００１２】
以上のように、請求項１に係る発明によれば、前面パネル部が後方へ倒れた折畳状態でネスティングさせることができるから、乗物玩具部の前後方向の全体長さを変えることが出来なかった従来のものに比べて、複数のショッピングカート群を嵩低く収納することができる。従って、比較的狭いスペース内にも多数の乗物玩具部付きのショッピングカートを収納しておくことができ、顧客の需要に応えることが出来る。
【００１３】
また、請求項２に係る発明によれば、上記効果に加えて、ネスティング状態にある前記ショッピングカート群から、最後部に位置するショッピングカートを後方へ引き抜くと、強制的に後方へ回動させられていた前面パネル部が、付勢手段の付勢力と保持手段によって、回動前の初期姿勢に復元させられることとなる。このように、ネスティングの際に折畳状態に変形させていた乗物玩具部は、ネスティングを解除させることにより、自然に元の状態に復帰させることができるから、使い勝手が良いという効果がある。
【００１４】
また、請求項３に係る発明によれば、ネスティングをスムーズに行うことが出来るといった効果がある。
また、請求項４に係る発明によれば、本発明におけるショッピングカートの幼児を乗せるための乗物玩具部は、両側板部が設けられていない構成となっているが、安全ベルトを装着させることにより、側方からの幼児の落下事故を防止することが出来る。又、前面パネル部の上端にハンドル等の玩具部を設けてあるから、買い物途中で、子供が乗物玩具部に乗っていることに飽きてしまうといった不都合がない。
【発明を実施するための最良の形態】
【００１５】
以下に、本発明を実施するための最良の形態について添付図面を参照しながら説明する。
図１は、本発明実施の形態のショッピングカートの側面図であり、図２はその底面図、図３はその正面図を示している。又、図４は、前記ショッピングカートの中央縦断面図である。
【００１６】
この例のショッピングカートは、図２に示すように、前後左右の下方に４つのキャスター(13)が取付けられた台座フレーム(10)と、同図及び図１に示すように、前記台座フレーム(10)の後部の左右両端に立設される一対の支持フレーム(11)と、前記支持フレーム(11)の上端部相互を連結するハンドルバー(12)とから本体フレーム(1)が構成されており、前記本体フレーム(1)の前方に配設させる乗物玩具部(2)は、前記一対の支持フレーム(11)間に設けられる背もたれ部(20a)付きの子供用座席部(20)と、台座フレーム(10)の前部に設けられる足載せ板(27)と、前記足載せ板(27)の前方で且つ前記台座フレーム(10)の前端に立設させる前面パネル部(4)とから構成されている。
【００１７】
又、子供用座席部(20)の下方で且つ前記足載せ板(27)の後方には、買い物かご（図示せず）を載置するためのかご載置台(31)が、前記足載せ板(27)の上面より高く位置し且つ後方に開放する態様で設けられている。
又、前記ショッピングカートは、ショッピングカート相互をネスティングさせて収納できるように、全体に、前方から後方へ向かって横幅が徐々に拡大するような構成となっている。
【００１８】
以下、各部の詳細について説明する。
本体フレーム(1)のうち、台座フレーム(10)の前端には台形枠部(14)が形成されており、前記台形枠部(14)内に、乗物玩具部(2)の足載せ板(27)が嵌め込まれている。そして、前記台形枠部(14)の後方辺の中央には、乗物玩具部(2)の子供用座席部(20)を下方から支持するための２本の支持軸(32)が直立していると共に、前記支持軸(32)の下端部近傍で且つ前記足載せ板(27)の上面よりも高い位置から、一対のかご載置枠(31)が、後方へ向かって延長形成されている。前記一対のかご載置枠(31)は、図２に示すように、所定幅の間隙部(S)を介して設けられており、一対のかご載置枠(31)全体の横幅は、前記台形枠部(14)のそれよりも大きく設定されており、前方のショッピングカートのかご載置枠(31)の下方に、後方のショッピングカートの台形枠部(14)が上下に重なり合うような寸法関係に設定されている。尚、買い物かごは、前記一対のかご載置枠(31)の両方に跨るようにして載置される。
【００１９】
前記支持フレーム(11)は、図１に示すように、乗物玩具部(2)の座席部(20b)の位置に相当する部分を屈曲点部(15)として後方に開放する略く字状に構成されており、その下端は垂下されて前記台座フレーム(10)の左右後端に連続していると共に、上端は、水平なハンドルバー(12)に連結されている。
【００２０】
この例のものでは、前記台座フレーム(10)及び支持フレーム(11)、ハンドルバー(12)は何れも金属製のパイプ材から形成されており、前記支持フレーム(11)とハンドルバー(12)とは連続する一本のパイプ材を屈曲させて形成している。
尚、前記屈曲点部(15)から上方に位置する支持フレーム(11)間に介在されるように、樹脂製の子供用座席部(20)が設けられており、前記子供用座席部(20)の前方を閉塞するように、前面パネル部(4)が、台座フレーム(10)の前端に、後方（子供用座席部(20)側）へ向かって回動可能に設けられている。
【００２１】
前面パネル部(4)は、図３及び図４に示すように、下端部が前記台座フレーム(10)の前端に、前後方向に回動可能に軸支されている回動軸(41)と、前記回動軸(41)の前記下端部近傍域よりも上方域を前方から覆うように取り付けられる被覆板(40)とから構成されており、前記回動軸(41)は、子供用座席部(20)に向かって屈曲する略く字状に形成されていると共に、その軸支部には、図４に示すように、回動軸(41)を前方へ付勢させる付勢手段としてのキックバネ(42)が介在されている。前記キックバネ(42)の付勢力によって、回動軸(41)は、常時前方へ回動する方向へ付勢されるが、回動軸(41)の前記屈曲部よりも下方域が台座フレーム(10)に対して直角に起立する姿勢となったとき、それ以上の前方への回動を阻止するために、前記台座フレーム(10)の前端に、ストッパー(43)を突設させている。
【００２２】
前記キックバネ(42)の付勢力によって、付勢された回動軸(41)が、前記ストッパー(43)によって、それ以上の回動を阻止されたとき、前記回動軸(41)の前記屈曲部よりも上方域が、前記子供用座席部(20)の背もたれ部(20a)に対して、略平行に位置するように、前記回動軸(41)の屈曲角度は設定されている。
又、被覆板(40)の上端には、子供の手遊び用のハンドル(24)や各種操作ボタン等が設けられており、前記背もたれ部(20a)の中央よりもやや下方域には、安全ベルト(44)が取り付けられている。
【００２３】
この実施の形態のショッピングカートでは、幼児を子供用座席部(20)の座席部(20b)に腰掛けさせ、背もたれ部(20a)にもたれかけさせると共に、その腰当たりを軽く締付けるように、安全ベルト(44)を装着させる。この着座姿勢にて、前記ハンドル(24)、その他の手遊び用具に幼児の手が届くように、前面パネル部(4)の高さは設定されている。又、足載せ板(27)に足が届く幼児では、一層安定した着座姿勢を保つことができる。尚、靴についた土や泥が足載せ板(27)上にたまらないように、足載せ板(27)は、図２及び図４に示すように、メッシュ状に形成されている。
【００２４】
次に、上記ショッピングカートの不使用時に、相互にネスティングさせて収納する場合の様子について図５を参照しながら説明する。
一つのショッピングカート(A)の後方に別のショッピングカート(B)を挿入させると、台座フレーム(10)の形状、及び、足載せ板(27)とかご載置枠(31)との段差は上述したとおりであるから、後方のショッピングカート(B)の足載せ板(27)が、前方のショッピングカート(A)のかご載置枠(31)の下方に重なるように差し込まれる。このとき、後方のショッピングカート(B)の前面パネル部(4)の回動軸(41)が、前方のショッピングカート(A)のかご載置枠(31)間の間隙部(S)内に挿通されていくため、回動軸(41)は、ネスティングの邪魔にならない。
【００２５】
台座フレーム(10)は、前記後方のショッピングカート(B)の台座フレーム(10)の前端が、前方のショッピングカート(A)の台座フレーム(10)の台形枠部(14)の後辺部に当接する最終差込位置まで差込可能な形状に形成されている。前記最終差込位置に達する前に、後方のショッピングカート(B)の前面パネル部(4)の被覆板(40)が、前方のショッピングカート(A)の子供用座席部(20)の背もたれ部(20a)の後面に当たってしまうが、前面パネル部(4)の回動軸(41)は、前後方向に回動自在に軸支されているから、後方のショッピングカート(B)を前方のショッピングカート(A)に差し込んでいくにつれて、後方のショッピングカート(B)の前面パネル部(4)が、前方のショッピングカート(A)の子供用座席部(20)に押されて、後方へ回動させられ、後方のショッピングカート(B)は前方のショッピングカート(A)に、最終差込位置に達するまで差し込むことができる。
【００２６】
同じ要領で、後方のショッピングカート(B)のさらに後方から、別のショッピングカート(C)を順次ネスティングさせていくことができる。ネスティング状態における各ショッピングカートの前面パネル部(4)は子供用座席部(20)側へ倒れた折畳姿勢となるため、乗物玩具部(2)自体の嵩が低くなり、ショッピングカートを多数ネスティングさせた場合においても、ショッピングカート群全体の長さを、従来の乗物玩具部付きのものに比べて短く設定することができる。これにより、狭いスペースにも多数の乗物玩具部付きのショッピングカートをネスティングさせて収納しておくことができる。
【００２７】
使用時には、最後尾に位置するショッピングカート(C)を前記ショッピングカート(B)から後方へ引き抜く。すると、ショッピングカート(B)の子供用座席部(20)で付勢されていたショッピングカート(C)の前面パネル部(4)が前記キックバネの付勢力により、前方へ回動する方向へ弾性復帰させられると共に、前記ストッパー(43)によって、前面パネル部(4)は初期姿勢に保持されることとなる。このように、ネスティング時には、折畳状態に収納されていた乗物玩具部(2)は、使用時に引き出されると同時に、前記乗物玩具部(2)は元の状態に復元されるため、使い勝手が良いものとなる。
【図面の簡単な説明】
【００２８】
【図１】本発明実施の形態におけるショッピングカートの使用時の側面図。
【図２】本発明実施の形態におけるショッピングカートの底面図。
【図３】本発明実施の形態におけるショッピングカートの正面図。
【図４】本発明実施の形態におけるショッピングカートの中央縦断面図。
【図５】本発明実施の形態におけるショッピングカートをネスティング収納させた状態を示す説明図。
【図６】従来の乗物玩具部を具備するショッピングカートの使用状態の説明図。
【図７】従来の乗物玩具部を具備するショッピングカートをネスティング収納させた状態を示す説明図。
【符号の説明】
【００２９】
(1) ・・・・・本体フレーム
(10)・・・・・台座フレーム
(11)・・・・・支持フレーム
(12)・・・・・ハンドルバー
(13)・・・・・キャスター
(2) ・・・・・乗物玩具部
(20)・・・・・子供用座席部
(27)・・・・・足載せ板
(31)・・・・・かご載置台
(4) ・・・・・前面パネル部
【図１】
2005059674.tif 000003
【図２】
2005059674.tif 000004
【図３】
2005059674.tif 000005
【図４】
2005059674.tif 000006
【図５】
2005059674.tif 000007
【図６】
2005059674.tif 000008
【図７】
2005059674.tif 000009